(57)【要約】【課題】簡単かつ省スペースの構造で、ドレンタンクを取り出したり持ち運んだりするときに水がドレンタンクの外に出ることを防止することのできる除湿機を提供する。【解決手段】除湿機１は、空気中の水分を除去する除湿手段３と、除湿手段３から排出された液体の水を貯留するドレンタンク５とを有する。ドレンタンク５は、ドレンタンク５の内部へ水が入る入口となる第一開口１８ａを有する水受け部（小蓋１８）と、ドレンタンク５の内部であってドレンタンク５の満水時の水面（満水位置２０１）よりも高い位置に配置され、第一開口１８ａに向かい合う逆止板１９とを備える。【選択図】図１
2020018990.tif 000002
【特許請求の範囲】
【請求項１】
空気中の水分を除去する除湿手段と、前記除湿手段から排出された液体の水を貯留するドレンタンクとを有する除湿機において、
前記ドレンタンクは、
前記ドレンタンクの内部へ水が入る入口となる第一開口を有する水受け部と、
前記ドレンタンクの内部であって前記ドレンタンクの満水時の水面よりも高い位置に配置され、前記第一開口に向かい合う逆止板とを備える除湿機。
【請求項２】
水平面に対して前記逆止板を投影した図形の面積は、前記第一開口の開口面積よりも大きい請求項１に記載の除湿機。
【請求項３】
前記逆止板は、前記ドレンタンクの側壁の内面の上端の位置よりも低い位置に配置されている請求項１または請求項２に記載の除湿機。
【請求項４】
前記逆止板の上面の少なくとも一部は、中央部分から外側へ向かって下るように傾斜している請求項１から請求項３のいずれか一項に記載の除湿機。
【請求項５】
前記逆止板と前記水受け部とを連結する連結部を備え、該連結部には前記第一開口から前記ドレンタンクの内部へ入った水が通過可能な少なくとも一つの通水孔を備える請求項１から請求項４のいずれか一項に記載の除湿機。
【請求項６】
互いに向かい合う一対の前記通水孔を備える請求項５に記載の除湿機。
【請求項７】
前記ドレンタンクの上面を形成する上面部の一部に第二開口が形成されており、
前記水受け部は、ヒンジ部を介して前記上面部に連結されており、前記第二開口をふさぐ状態と、前記第二開口をふさがない状態とに変位可能である請求項１から請求項６のいずれか一項に記載の除湿機。
【請求項８】
前記逆止板と前記水受け部とを連結する連結部を備え、該連結部には前記第一開口から前記ドレンタンクの内部へ入った水が通過可能な少なくとも一つの通水孔を備え、
前記通水孔は、前記水受け部が前記第二開口をふさがない状態にあるときに下を向く通水孔を含む請求項７に記載の除湿機。
【請求項９】
前記上面部は、前記ドレンタンクの本体であるタンク本体から取り外し可能である請求項７または請求項８に記載の除湿機。
【発明の詳細な説明】
【技術分野】
【０００１】
本発明は、除湿機に関する。
【背景技術】
【０００２】
図６は、特許第４３４７４９３号公報に開示された除湿機が備えるドレンタンクの分解斜視図である。図６に示すように、ドレンタンク１００の上面開口部１０１は、大タンク蓋１０２と、この大タンク蓋１０２に対して着脱可能な小タンク蓋１０３とで覆われる。ドレン水は小タンク蓋１０３に設けられた流入口１０４を通ってドレンタンク１００内に入る。
【０００３】
図７は、特開２０００−２６６３６０号公報に開示された除湿機が備えるドレンタンクの断面図である。図７に示すように、ドレンタンク１００のドレン水の回収用開口部１０５は、常時閉状態の逆止弁１０６を備えている。この逆止弁１０６により、除湿機が転倒したときの水漏れ、及びドレンタンク１００を持ち運ぶときの揺れによる水跳ねを防止している。除湿運転時には、ドレンタンク１００が適正位置に収納されると、ドレンパンに接続された導水路１０７が逆止弁１０６を押すことで逆止弁１０６が開き、ドレン水をドレンタンク１００内に注水できる。
【先行技術文献】
【特許文献】
【０００４】
【特許文献１】特許第４３４７４９３号公報
【特許文献２】特開２０００−２６６３６０号公報
【発明の概要】
【発明が解決しようとする課題】
【０００５】
図６に示す従来の技術では、ドレンタンク１００の上面全体を大タンク蓋１０２及び小タンク蓋１０３で覆うことで水跳ねを防止しているが、流入口１０４の穴が常時開口しているため、ドレンタンク１００を持ち運ぶときの揺れによって流入口１０４の穴から水が飛び出し、床を濡らしてしまう可能性がある。
【０００６】
図７に示す従来の技術では、ドレンタンク１００が適正位置からずれた位置に収納された場合に、導水路１０７と逆止弁１０６との嵌合部に隙間が発生し、ドレン水が漏れてしまう可能性がある。また、構造が複雑でコストが高いという課題がある。さらに、ドレンタンク１００の上方に、逆止弁１０６を開閉動作させる機構を配置するためのスペースを必要とするため、ドレンタンク１００の容量を当該スペースの分だけ小さくしなければならないという課題がある。
【０００７】
本発明は、上述のような課題を解決するためになされたもので、簡単かつ省スペースの構造で、ドレンタンクを取り出したり持ち運んだりするときに水がドレンタンクの外に出ることを防止することのできる除湿機を提供することを目的とする。
【課題を解決するための手段】
【０００８】
本発明に係る除湿機は、空気中の水分を除去する除湿手段と、除湿手段から排出された液体の水を貯留するドレンタンクとを有する除湿機において、ドレンタンクは、ドレンタンクの内部へ水が入る入口となる第一開口を有する水受け部と、ドレンタンクの内部であってドレンタンクの満水時の水面よりも高い位置に配置され、第一開口に向かい合う逆止板とを備えるものである。
【発明の効果】
【０００９】
本発明によれば、簡単かつ省スペースの構造で、ドレンタンクを取り出したり持ち運んだりするときに水がドレンタンクの外に出ることを防止することが可能となる。
【図面の簡単な説明】
【００１０】
【図１】実施の形態１による除湿機を示す断面側面図である。
【図２】実施の形態１による除湿機が備えるドレンタンクの断面側面図である。
【図３】図１及び図２に示すドレンタンクが備える小蓋、逆止板及び連結部を示す分解斜視図である。
【図４】図２の一部を拡大した断面図である。
【図５】図１及び図２に示すドレンタンクの斜視図である。
【図６】特許第４３４７４９３号公報に開示された除湿機が備えるドレンタンクの分解斜視図である。
【図７】特開２０００−２６６３６０号公報に開示された除湿機が備えるドレンタンクの断面図である。
【発明を実施するための形態】
【００１１】
以下、図面を参照して実施の形態について説明する。各図において共通または対応する要素には、同一の符号を付して、重複する説明を簡略化または省略する。
【００１２】
実施の形態１．
図１は、実施の形態１による除湿機１を示す断面側面図である。本実施の形態の除湿機１は、床面２００の上に置いた状態で使用される。以下の説明では、水平な床面２００の上に除湿機１が置かれているものとして、各部の向き及び位置関係を特定する。図１の紙面の左側が除湿機１の正面に相当し、図１の紙面の右側が除湿機１の背面に相当する。
【００１３】
図１に示すように、本実施の形態の除湿機１は、本体ケース２と、除湿手段３と、ファンユニット４と、ドレンタンク５とを備える。本体ケース２は、除湿機１の骨格となる構造体に相当する。除湿手段３、ファンユニット４、及びドレンタンク５は、本体ケース２の内部に収納されている。本体ケース２の底部には、床面２００に接する複数の車輪１０が設置されている。除湿機１を床面２００上の他の位置へ移動させる際には、車輪１０が転動することにより、除湿機１を容易に移動させることができる。図示の例の本体ケース２は直方体状の外形を有するが、本体ケース２の形状は直方体状に限定されるものではない。
【００１４】
本体ケース２には、吸気口６と吹出口７とが形成されている。図示の例では、本体ケース２の背面に吸気口６が開口し、本体ケース２の上面に吹出口７が開口している。本体ケース２の内部には、風路１２が形成されている。風路１２は、吸気口６から吹出口７へ流れる空気の通路となる空間である。
【００１５】
ファンユニット４は、多翼ファン８と、多翼ファン８を回転させるモータ９と、多翼ファン８及びモータ９を収納するファンケーシング１１とを備える。多翼ファン８は、風路１２に配置されている。多翼ファン８が回転すると、吸気口６から本体ケース２の内部へ流入した空気が、風路１２を通過した後、吹出口７から本体ケース２の外部へ流出するように、気流が発生する。ファンユニット４は、送風手段の例である。
【００１６】
除湿手段３は、冷媒回路を備える。この冷媒回路は、蒸発器１３と、凝縮器１４と、圧縮機１５と、これらを環状に接続する冷媒配管（図示省略）とを有する。本実施の形態の除湿手段３は、冷媒回路により冷凍サイクルの運転を行うことにより空気中の水分を除去する。蒸発器１３及び凝縮器１４は、風路１２に配置されている。蒸発器１３及び凝縮器１４は、風路１２を通過する空気と、冷媒との間で熱を交換する熱交換器に相当する。図示の例では多翼ファン８に対して気流の上流側に凝縮器１４が配置され、凝縮器１４に対して気流の上流側に蒸発器１３が配置されている。吸気口６から風路１２へ流入した空気は、まず、蒸発器１３により冷却される。その結果、空気中の水分が凝縮して蒸発器１３の表面に結露する。蒸発器１３の表面に結露した液体の水は、重力により下方へ流下する。このようにして、除湿手段３は、空気中から除去された水分を液体の水として排出する。蒸発器１３は、空気の熱を低圧冷媒に吸収させることで冷媒を蒸発させる。蒸発した冷媒は、圧縮機１５に流入する。圧縮機１５により圧縮された高圧冷媒は、凝縮器１４に流入する。凝縮器１４は、蒸発器１３から流入した空気を高圧冷媒の熱により加熱する。凝縮器１４を通過する間に冷却された高圧冷媒は、減圧装置（図示省略）により減圧された後、蒸発器１３へ流入する。
【００１７】
除湿手段３としては、上述したような冷凍サイクル方式の装置に限定されず、他の方式の装置を用いてもよいことは言うまでもない。例えば、除湿手段３は、例えば、デシカント方式の装置であっても良い。デシカント方式の場合の除湿手段３は、空気中の水分を吸着する吸着剤と、ヒーターと、熱交換器とを備える。当該吸着剤に吸着された水分は、当該ヒーターによって加熱される。当該ヒーターによって加熱された水分は、当該熱交換器によって冷却されて凝縮する。
【００１８】
以下の説明では、除湿手段３から排出された液体の水を「ドレン水」と呼ぶ場合がある。ドレンタンク５は、ドレン水を貯留する。本実施の形態のドレンタンク５は、全体として、箱形の外形を有する。ドレンタンク５は、タンク本体１６と、大蓋１７と、小蓋１８と、逆止板１９とを備える。タンク本体１６は、ドレンタンク５の本体に相当する。タンク本体１６は、上面開口部を有する容器である。大蓋１７は、タンク本体１６の上面開口部をふさぐ蓋である。大蓋１７は、ドレンタンク５の上面を形成する上面部に相当する。大蓋１７は、タンク本体１６の上面開口部の全体を覆う大きさを有する。小蓋１８は、大蓋１７に取り付けられている。小蓋１８は、第一開口１８ａを有する。第一開口１８ａは、ドレンタンク５の内部へ水が入る入口に相当する。逆止板１９は、ドレンタンク５の内部に配置されている。
【００１９】
本体ケース２の内部にドレンパン２０が配置されている。ドレンパン２０は、蒸発器１３及び凝縮器１４の下に配置される。ドレンパン２０は、蒸発器１３及び凝縮器１４を下から覆う。ドレンパン２０は、蒸発器１３で結露して蒸発器１３から落下するドレン水を受ける。ドレンパン２０には、導水路２０ａが形成されている。導水路２０ａは、ドレンパン２０の上面から下面まで貫通する水の通路である。ドレンパン２０の上面は、導水路２０ａに向かって下るように、水平面に対して傾斜している。ドレンパン２０の上面へ落ちたドレン水は、当該傾斜に沿って導水路２０ａに集まる。
【００２０】
ドレンタンク５は、本体ケース２の内部に形成されたドレンタンク収納室２１に配置されている。本実施の形態では、ファンユニット４、蒸発器１３、凝縮器１４、及びドレンパン２０の下にある空間がドレンタンク収納室２１に相当する。ドレンタンク５は、ドレンタンク収納室２１から本体ケース２の外へ取り外し可能である。本実施の形態では、本体ケース２に対して図１の紙面の左方向へドレンタンク５を引き出すことにより、ドレンタンク収納室２１からドレンタンク５を取り出すことができる。
【００２１】
小蓋１８は、ドレン水を受ける受け皿１８ｂを備える。小蓋１８は、ドレン水を受ける水受け部に相当する。第一開口１８ａは、受け皿１８ｂの中央部分に形成されている。受け皿１８ｂの上面は、第一開口１８ａに向かって下るように、水平面に対して傾斜している。図１のように、ドレンタンク５がドレンタンク収納室２１内での適正位置に配置された状態では、受け皿１８ｂの上方にドレンパン２０の導水路２０ａが位置する。ドレンパン２０が受けたドレン水は、導水路２０ａを通って、受け皿１８ｂに落下する。受け皿１８ｂに落下したドレン水は、受け皿１８ｂの上面の傾斜に沿って第一開口１８ａに集まり、第一開口１８ａを通ってドレンタンク５の内部に入る。受け皿１８ｂは、鉛直方向から見たときに導水路２０ａ及びその周囲の領域を覆うように、導水路２０ａに対して大きめに設けられている。これにより、ドレンタンク５の位置が多少ずれたとしても、受け皿１８ｂは、導水路２０ａから落下するドレン水を確実に捕集できる。なお、本発明の実施の形態では小蓋１８が水受け部となっているが、小蓋１８を設けず、大蓋１７に水受け部を一体に設けてもよい。
【００２２】
図１中の満水位置２０１は、ドレンタンク５が満水になったときの水面の位置を示す。除湿機１は、ドレンタンク５内の水位が満水位置２０１に達したことを検出できる水位センサである満水センサ（図示省略）を備える。
【００２３】
吹出口７の近くには、吹出口７から本体ケース２の外部へ吹き出される気流の向きを調整するためのルーバ２２が設置されている。
【００２４】
次に、除湿機１の除湿運転について説明する。除湿運転では、以下のようになる。除湿手段３及びファンユニット４が運転される。吸気口６から風路１２内へ吸い込まれた空気は、蒸発器１３、凝縮器１４、及び多翼ファン８を順次通過した後、吹出口７から本体ケース２の外部へ吹き出される。圧縮機１５により圧縮された冷媒は、蒸発器１３で気化し周囲の熱を吸収する。その結果、蒸発器１３が冷却されて低温になる。低温になった蒸発器１３は、風路１２内へ吸い込まれた空気中の水分を結露させる。蒸発器１３を通るときに冷却及び除湿された空気は、凝縮器１４によって加熱されることで常温に戻された後、除湿機１の外に排出される。
【００２５】
除湿運転中、ドレンタンク５内にドレン水が徐々に溜まっていく。ドレンタンク５が満水になったことを満水センサが検出すると、除湿機１が備える制御装置（図示省略）は、除湿運転を停止させる。除湿機１は、ドレンタンク５が満水になったことを使用者に報知する報知手段を備えることが望ましい。この報知手段は、例えばブザー（図示省略）またはランプ（図示省略）などでもよい。
【００２６】
使用者は、満水になったドレンタンク５をドレンタンク収納室２１から取り出し、手でドレンタンク５を持ちながら洗面台などに移動し、ドレンタンク５内のドレン水を捨てる作業を行う。満水状態のドレンタンク５は、例えば５Ｋｇ程度の重量を有する。そのような重量のあるドレンタンク５を、ドレンタンク収納室２１から取り出したり、持ち運んだりするときには、不安定な状態になりやすいので、ドレンタンク５が揺れる可能性がある。ドレンタンク５が揺れると、ドレンタンク５内で、水面が波立ったり、水跳ねが発生したりする。
【００２７】
図２は、実施の形態１による除湿機１が備えるドレンタンク５の断面側面図である。この図２は、図１中のドレンタンク５を拡大した図に相当する。図２に示すように、タンク本体１６は、ドレンタンク５の側壁を形成する側壁部１６ａと、ドレンタンク５の底部を形成する底壁部１６ｂとを備える。側壁部１６ａは、鉛直線に対して実質的に平行である。底壁部１６ｂは水平面に対して実質的に平行である。側壁部１６ａの上端部は、タンク本体１６の上面開口部の縁部を形成している。タンク本体１６の上面開口部の全体は、大蓋１７及び小蓋１８により覆われる。
【００２８】
逆止板１９は、第一開口１８ａに向かい合う位置に配置された板状の部材である。逆止板１９は、満水位置２０１よりも高い位置に配置されている。すなわち、逆止板１９の全体は、満水位置２０１よりも上側にある。逆止板１９は、第一開口１８ａを下から覆う。本実施の形態であれば、逆止板１９を備えたことで、以下の効果が得られる。満水になったドレンタンク５の取り出し時あるいは持ち運び時にドレンタンク５内で水面が波立ったり水跳ねが発生したりした場合に、ドレン水が第一開口１８ａに接することを逆止板１９により確実に抑制できる。その結果、ドレン水が第一開口１８ａからドレンタンク５外へ噴き出すことを確実に抑制できるので、床などを濡らしてしまうことを確実に防止できる。また、弁機構を持たない、低コストで簡単な構造の逆止板１９により、上記効果を達成できる。これに対し、図７に示す従来の技術のように、ドレンタンク５の入口部に逆止弁機構を設けた構成を想定すると、ドレンタンク収納室２１内でドレンタンク５が適正位置からずれた位置に配置された場合に、この逆止弁機構が開かない可能性がある。この逆止弁機構が開かないと、除湿手段３から排出されたドレン水がドレンタンク５内に流入できないので、ドレン水が除湿機１の外部に漏れ出してしまう。対照的に、本実施の形態であれば、そのような水漏れが発生することを確実に抑制できる。
【００２９】
満水位置２０１は、側壁部１６ａの内面の上端１６ｃの位置よりも低い位置にある。すなわち、満水状態のときのドレンタンク５内の水面と、大蓋１７の下面との間には、空間２０２が形成される。満水位置２０１は、側壁部１６ａの内面の上端１６ｃの位置に対して、例えば数ｃｍ下側の位置でもよい。本実施の形態であれば、ドレンタンク５の深さに余裕を持たせていること、すなわち上記の空間２０２が形成されることにより、以下のような効果が得られる。ドレンタンク５が満水になったことを満水センサが検出して除湿運転が停止した後も、蒸発器１３に付着していたドレン水が徐々に流下して受け皿１８ｂに落下する可能性がある。このため、ドレンタンク５内の水位が満水位置２０１に達して除湿運転が停止した後にも、ドレン水がさらにドレンタンク５内に流入する可能性がある。ドレンタンク５の深さに余裕があるので、除湿運転の停止後に流入する、追加のドレン水を確実に収容することができる。また、ドレンタンク５の取り出し時あるいは持ち運び時に、ドレンタンク５内の水面が多少波立ったとしても、ドレン水が大蓋１７の下面に接触しにくくなる。
【００３０】
逆止板１９は、側壁部１６ａの内面の上端１６ｃよりも低い位置に配置されている。すなわち、空間２０２に逆止板１９が配置されており、逆止板１９の全体は、側壁部１６ａの内面の上端１６ｃの位置よりも低い位置にある。本実施の形態であれば、空間２０２のスペースを活用して逆止板１９を配置できる。このため、ドレンタンク５に収容できるドレン水の量を減少させることなく、逆止板１９を設置することが可能となる。
【００３１】
第一開口１８ａは、鉛直線に沿った筒状の通路である。第一開口１８ａの軸方向は、鉛直線に対して平行である。逆止板１９の上面１９ａは、第一開口１８ａと向かい合う。鉛直方向から見たときに、逆止板１９の中心の位置は、第一開口１８ａの中心の位置に一致していることが望ましい。
【００３２】
水平面に対して逆止板１９を投影した図形の面積は、第一開口１８ａの開口面積よりも大きいことが望ましい。そのようにすることで、第一開口１８ａからのドレン水の噴き出しを逆止板１９がより確実に防止できる。
【００３３】
鉛直方向から見たときに、逆止板１９の外縁１９ｂの内側に、第一開口１８ａの全体が位置することが望ましい。そのようにすることで、第一開口１８ａからのドレン水の噴き出しを逆止板１９がより確実に防止できる。
【００３４】
第一開口１８ａを通ってドレンタンク５内に入ったドレン水は、逆止板１９の上面１９ａに落下する。このドレン水は、逆止板１９の上面１９ａに沿って流れ、外縁１９ｂからドレンタンク５内の水面へ落下する。
【００３５】
本実施の形態における逆止板１９の上面１９ａの少なくとも一部は、上面１９ａの中央部分から外側へ向かって下るように、水平面に対して傾斜している。これにより、逆止板１９の上面１９ａに落下したドレン水は、逆止板１９上に溜まることなく、逆止板１９からスムーズに流れ落ちることができる。変形例として、逆止板１９の上面１９ａの全体が水平面に対して平行でもよい。その場合でも、上記効果に類似した効果が得られる。
【００３６】
本実施の形態のドレンタンク５は、逆止板１９と小蓋１８とを連結する連結部２３を備える。逆止板１９は、連結部２３を介して小蓋１８に固定されている。本実施の形態であれば、連結部２３を備えたことで、以下の効果が得られる。小蓋１８が逆止板１９を支持することができるので、逆止板１９を支持するための部材をタンク本体１６に設ける必要がない。その結果、構造の簡素化及び軽量化に有利になる。
【００３７】
本実施の形態における連結部２３は、逆止板１９の上面１９ａから上方へ突出している。連結部２３は、逆止板１９と一体の部品として形成されている。これにより、部品点数を削減することができ、コスト低減に有利になる。変形例として、連結部２３が逆止板１９とは別の部品であってもよいし、連結部２３が小蓋１８と一体の部品として形成されていてもよい。
【００３８】
本実施の形態のドレンタンク５は、小蓋１８と逆止板１９との間の位置にある通水孔２３ａ，２３ｂを備える。第一開口１８ａを通ってドレンタンク５の内部へ入ったドレン水は、通水孔２３ａ，２３ｂを通過可能である。通水孔２３ａ，２３ｂは、連結部２３に形成されている。通水孔２３ａ，２３ｂは、第一開口１８ａの中心を通る直線に対して垂直な方向を向いて開口している。すなわち、通水孔２３ａ，２３ｂは、水平方向を向いて開口している。第一開口１８ａから逆止板１９の上面１９ａに落下したドレン水は、通水孔２３ａ，２３ｂを通って逆止板１９の外縁１９ｂへ流れた後、ドレンタンク５内の水面へ落下する。
【００３９】
本実施の形態であれば、通水孔２３ａ，２３ｂを設けたことで以下の効果が得られる。ドレンタンク５の取り出し時あるいは持ち運び時にドレンタンク５内で水揺れが発生した場合、ドレン水は、まず通水孔２３ａ，２３ｂを通過しないと、第一開口１８ａに達することはできない。このため、第一開口１８ａからのドレン水の噴き出しをより確実に防止できる。
【００４０】
本実施の形態では、一対の通水孔２３ａ，２３ｂが設けられている。一対の通水孔２３ａ，２３ｂは、第一開口１８ａの中心を通る直線を挟んで互いに向かい合う位置に形成されている。図示の構成に限らず、ドレンタンク５は、一対の通水孔２３ａ，２３ｂに代えて一つのみの通水孔を備えるものでもよいし、または３個以上の通水孔を備えるものでもよい。
【００４１】
大蓋１７は、タンク本体１６から取り外し可能である。大蓋１７をタンク本体１６に取り付ける際には、タンク本体１６の上面開口部に大蓋１７を嵌合させることにより、タンク本体１６に大蓋１７を固定することができる。例えば、ドレンタンク５の内部を洗浄する際には、タンク本体１６から大蓋１７を取り外すことにより、容易に洗浄作業を行うことができる。
【００４２】
図３は、図１及び図２に示すドレンタンク５が備える小蓋１８、逆止板１９及び連結部２３を示す分解斜視図である。図３は、逆止板１９及び連結部２３が一体となった部品を小蓋１８に取り付ける前の状態を表している。図３に示すように、本実施の形態における逆止板１９は、鉛直方向から見たときに円形となる外形を有する。連結部２３は、逆止板１９と同心の円筒状の形状を有する。逆止板１９の外径は、連結部２３の外径よりも大きい。通水孔２３ａ，２３ｂは、連結部２３の円筒状の周壁の一部を除去することにより形成されている。連結部２３には、一対の嵌合孔２３ｃが形成されている。各々の嵌合孔２３ｃは、連結部２３の円筒状の周壁を貫通している。一対の嵌合孔２３ｃは、連結部２３の中心線の周りの角度に関して、通水孔２３ａ，２３ｂとは９０度異なる位置に形成されている。
【００４３】
図４は、図２の一部を拡大した断面図である。図４に示すように、第一開口１８ａは、受け皿１８ｂの下面から下方へ突出する円筒部１８ｃによって形成されている。円筒部１８ｃの外径は、連結部２３の内径に等しい。連結部２３の上端の開口から円筒部１８ｃが連結部２３の内側に挿入している。円筒部１８ｃは、その外周面から突出する爪部（図示省略）を有する。当該爪部が連結部２３の嵌合孔２３ｃに嵌合することにより、連結部２３が円筒部１８ｃに対して固定されている。
【００４４】
図４中の矢印で示すドレン水の流れは、ドレンタンク５の取り出し時あるいは持ち運び時においてドレンタンク５内の水面が波立ったときのドレン水の動きの例を模式的に示したものである。ドレンタンク５内のドレン水の揺れが大きくなると、ドレン水は逆止板１９の上面１９ａよりも上にまで波立つことがある。そのようにして波立ったドレン水が図４中の矢印で示すようにして通水孔２３ａに流入したと想定する。通水孔２３ａに向かい合う位置には通水孔２３ｂがある。このため、通水孔２３ａから連結部２３の内側に流入したドレン水は、そのまま通水孔２３ｂを通って連結部２３の外側へ出ていく。逆に、ドレン水が通水孔２３ｂから連結部２３の内側に流入したとすると、このドレン水は通水孔２３ａを通って連結部２３の外側へ出ていく。このようにして、本実施の形態であれば、通水孔２３ａまたは通水孔２３ｂにドレン水が流入したとしても、そのドレン水が第一開口１８ａへ流れることを確実に抑制できる。その結果、ドレン水が第一開口１８ａからドレンタンク５の外へ噴き出すことをより確実に防止できる。
【００４５】
図５は、図１及び図２に示すドレンタンク５の斜視図である。図５は、ドレンタンク５内のドレン水を捨てる際の状態を表している。図５に示すように、大蓋１７の一部に第二開口１７ａが形成されている。小蓋１８は、第二開口１７ａをふさぐ状態と、第二開口１７ａをふさがない状態とに変位可能である。図１及び図２は、小蓋１８が第二開口１７ａをふさいだ状態、すなわち小蓋１８が閉じられた状態を表している。図５は、小蓋１８が第二開口１７ａをふさいでいない状態、すなわち小蓋１８が開かれた状態を表している。
【００４６】
本実施の形態における小蓋１８は、ヒンジ部２４を介して大蓋１７に連結されている。小蓋１８は、ヒンジ部２４を中心に回転することにより、第二開口１７ａをふさぐ閉位置と、第二開口１７ａをふさがない開位置とに変位可能である。本実施の形態であれば、ヒンジ部２４を設けたことで、小蓋１８の開閉を容易に行うことができる。変形例として、ヒンジ部２４を省略し、大蓋１７の第二開口１７ａの位置に小蓋１８が着脱可能となるように構成してもよい。
【００４７】
ドレンタンク５内のドレン水を捨てる際には、図５のように小蓋１８を開けて、第二開口１７ａからドレン水を排出することができる。本実施の形態であれば、ドレンタンク５内のドレン水を捨てる際に、以下の効果が得られる。タンク本体１６から大蓋１７を取り外す必要がないので、作業が簡単である。大蓋１７の一部に形成された第二開口１７ａがドレン水の排出口となり、当該排出口を狭く絞ることができるので、ドレン水が広がらず、洗面台等に捨てやすい。
【００４８】
本実施の形態では、逆止板１９が連結部２３を介して小蓋１８に取り付けられているので、小蓋１８を開けると、逆止板１９及び連結部２３がドレンタンク５の外部に露出する。これにより、逆止板１９及び通水孔２３ａ，２３ｂ等に溜まる水垢またはゴミのような異物を水捨ての際に使用者が容易に視認可能である。その結果、使用者は、逆止板１９及び通水孔２３ａ，２３ｂの洗浄などのメンテナンスを容易に行うことができる。
【００４９】
ヒンジ部２４の軸は、図２の紙面に対して垂直な方向である。通水孔２３ａの中心と通水孔２３ｂの中心とを結ぶ直線は、ヒンジ部２４の軸に対して垂直になる。図２の状態からヒンジ部２４を中心に小蓋１８を回転させることによって小蓋１８が開位置に移動すると、通水孔２３ａは下を向き、通水孔２３ｂは上を向くようになる。本実施の形態であれば、小蓋１８を開いた状態で通水孔２３ａが下を向くので、通水孔２３ａに表面張力で僅かに残った水滴、あるいはホコリなどが、通水孔２３ａから自然に落下することを促すことができる。これにより、メンテナンスの回数を減らすことができる。また、通水孔２３ｂに残った水滴なども、重力により通水孔２３ａの方へ落下し、通水孔２３ａを通過して外へ出る。このため、通水孔２３ｂに水滴などが残ることを防止することもできる。
【００５０】
本実施の形態では、大蓋１７とは別に小蓋１８を設け、小蓋１８に第一開口１８ａ、受け皿１８ｂ及び逆止板１９を設けた例について説明したが、このような構成に限らず、第一開口１８ａ、受け皿１８ｂ及び逆止板１９に相当する構造を大蓋１７に直接設けるようにしてもよい。そのような場合であっても、ドレンタンク５の取り出し時あるいは持ち運び時に第一開口１８ａからのドレン水の噴き出しを防止することについては本実施の形態と同様の効果を得ることができる。
【符号の説明】
【００５１】
１  除湿機、  ２  本体ケース、  ３  除湿手段、  ４  ファンユニット、  ５  ドレンタンク、  ６  吸気口、  ７  吹出口、  ８  多翼ファン、  ９  モータ、  １０  車輪、  １１  ファンケーシング、  １２  風路、  １３  蒸発器、  １４  凝縮器、  １５  圧縮機、  １６  タンク本体、  １６ａ  側壁部、  １６ｂ  底壁部、  １６ｃ  上端、  １７  大蓋、  １７ａ  第二開口、  １８  小蓋、  １８ａ  第一開口、  １８ｂ  受け皿、  １８ｃ  円筒部、  １９  逆止板、  １９ａ  上面、  １９ｂ  外縁、  ２０  ドレンパン、  ２０ａ  導水路、  ２１  ドレンタンク収納室、  ２２  ルーバ、  ２３  連結部、  ２３ａ  通水孔、  ２３ｂ  通水孔、  ２３ｃ  嵌合孔、  ２４  ヒンジ部、  １００  ドレンタンク、  １０１  上面開口部、  １０２  大タンク蓋、  １０３  小タンク蓋、  １０４  流入口、  １０５  回収用開口部、  １０６  逆止弁、  １０７  導水路、  ２００  床面、  ２０１  満水位置、  ２０２  空間
【図１】
2020018990.tif 000003
【図２】
2020018990.tif 000004
【図３】
2020018990.tif 000005
【図４】
2020018990.tif 000006
【図５】
2020018990.tif 000007
【図６】
2020018990.tif 000008
【図７】
2020018990.tif 000009